(57)【要約】【課題】フルハーネスを保持可能とすることにより、フルハーネスと一緒に着脱できる衣服を提供する。【解決手段】上着１は、上着本体２と、フルハーネスＦを上着本体２に保持するフルハーネス保持手段３とを備える。フルハーネス保持手段３は、帯体３１と、面ファスナ３２とを備える。帯体３１と上着本体２とによってフルハーネスＦのベルトを挟み込み、一方の面ファスナ３２ａと他方の面ファスナ３２ｂとを係合させることにより、上着本体２にフルハーネスＦを取り付けることができる。【選択図】図２
2019127656.tif 000002
【特許請求の範囲】
【請求項１】
衣服本体と、
フルハーネスを前記衣服本体に保持するフルハーネス保持手段と、
を備えることを特徴とする衣服。
【請求項２】
前記フルハーネス保持手段は、前記フルハーネスを前記衣服本体に着脱可能に保持する、
請求項１に記載の衣服。
【請求項３】
前記フルハーネス保持手段は、前記衣服本体との間で前記フルハーネスを挟む帯体と、前記帯体を前記衣服本体に着脱可能に固定する固定手段と、を備える、
請求項２に記載の衣服。
【発明の詳細な説明】
【技術分野】
【０００１】
本発明は、フルハーネスを保持可能な衣服に関する。
【背景技術】
【０００２】
高所作業を行う場合には安全帯を着用する必要がある。安全帯の中でも、胴だけでなく肩や腿（股）もベルトで支えるフルハーネス（例えば特許文献１など）は、胴ベルト型の安全帯と比較して、墜落時に体が抜け落ちることがなく、墜落時の体への衝撃も小さいという利点がある。
【０００３】
ところで、冬など気温が低い環境下で作業を行う場合には、フルハーネスの上から又はフルハーネスの下に防寒用の衣服を着用することがある。また、夏など気温が高い環境下で作業を行う場合には、フルハーネスの上から又はフルハーネスの下に空調機能を有した衣服（例えば特許文献２など）を着用することがある。このような衣服をフルハーネスの上から着用する場合には、まずフルハーネスを着用した後、その上から衣服を着用することになる。つまり、フルハーネスと衣服とを別々に着用しなければならないため、手間が掛かる。衣服及びフルハーネスを脱ぐ場合も別々に脱がなければならず、手間が掛かるという問題がある。同様に、フルハーネスの下に着用した衣服を脱ぐ場合、及びフルハーネスの下に衣服を着用する場合も、フルハーネスと衣服とを別々に着脱しなければならず、手間が掛かるという問題がある。
【先行技術文献】
【特許文献】
【０００４】
【特許文献１】特開２００９−００５７６５号公報
【特許文献２】特開２００６−１３２０４０号公報
【発明の概要】
【発明が解決しようとする課題】
【０００５】
本発明は上記課題に鑑みて成された発明であり、フルハーネスを保持可能とすることにより、フルハーネスと一緒に着脱できる衣服を提供することを目的とする。
【課題を解決するための手段】
【０００６】
本発明の衣服は、
衣服本体と、
フルハーネスを前記衣服本体に保持するフルハーネス保持手段と、
を備えることを特徴とする。
【０００７】
上記特徴により、フルハーネス保持手段によってフルハーネスを衣服本体に保持することができる。これにより、衣服を着脱する際に、フルハーネスも一緒に衣服と着脱することができるようになる。
【０００８】
本発明の衣服において、
前記フルハーネス保持手段は、前記フルハーネスを前記衣服本体に着脱可能に保持する、
ことが好ましい。
【０００９】
本発明の衣服において、
前記フルハーネス保持手段は、前記衣服本体との間で前記フルハーネスを挟む帯体と、前記帯体を前記衣服本体に着脱可能に固定する固定手段と、を備える、
ことが好ましい。
【００１０】
上記特徴により、フルハーネスと衣服とを必要に応じて分離することができる。これにより、衣服を着用しない場合には衣服からフルハーネスを取り外して、フルハーネスのみを使用することができる。また、フルハーネスを使用しない場合には、フルハーネスを取り外して、衣服のみを使用することができる。
【発明の効果】
【００１１】
本発明の衣服はフルハーネスを保持可能なフルハーネス保持手段を備えているため、フルハーネスを衣服に保持することができる。その結果、フルハーネスと一緒に衣服を着脱することができ、フルハーネス及び衣服を着脱する際の手間を減らすことができる。
【図面の簡単な説明】
【００１２】
【図１】（ａ）は上着の外側の概略図、（ｂ）は上着の内側の概略図である。
【図２】（ａ）及び（ｂ）はそれぞれフルハーネス保持手段によってフルハーネスを上着本体に取り付ける手順を示す斜視図、（ｃ）は上着本体の内側にフルハーネスが取り付けられた状態の概略図である。
【図３】変形例に係る上着の内側の概略図である。
【発明を実施するための形態】
【００１３】
本発明について図面を参照しながら説明する。以下で説明する実施形態は、いずれも本発明の好ましい一具体例を示すものである。本発明は、以下の実施形態に限定されず、その主旨を逸脱しない範囲で適宜変更可能である。
【００１４】
本発明の衣服としてジャンパタイプの上着１を例に挙げ説明する。図１（ａ）は上着１の外側の概略図、（ｂ）は上着１の内側の概略図である。なお、「内側」とは着用者に面する側を意味し、「外側」は内側とは反対側のことを意味する。説明の便宜上、図１（ａ）の上、下、右、左をそれぞれ上着１の上、下、右、左として説明し、他の図面でも特に断らない限り同様の表記を使用する。
【００１５】
上着１は、上着本体２と、フルハーネス保持手段３とを備える。上着本体２は、前身頃２１、後身頃２２、袖２３及び襟２４を備える。フルハーネス保持手段３は上着本体２の内側に設けられており、フルハーネスＦは上着本体２の内側に保持される。フルハーネス保持手段３は、具体的には図１（ｂ）に示すように、後身頃２２の左肩、右肩、背中中央、左腰、右腰に一つずつ配置されている。後身頃２２には、上着本体２内から上着本体２外にフルハーネスＦのランヤード（不図示）を取り出すための開口部２５が形成されている。
【００１６】
図２（ａ）及び（ｂ）はそれぞれフルハーネス保持手段３によってフルハーネスＦを上着本体２に取り付ける手順を示す斜視図、図２（ｃ）は上着本体２の内側にフルハーネスＦが取り付けられた状態の概略図である。図２（ａ）に示すように、フルハーネス保持手段３は、帯体３１と、面ファスナ３２（固定手段の一例）とを備える。帯体３１の一端は後身頃２２の内側に例えば縫合により固定されている。一方の面ファスナ３２ａ（ループ又はフックの一方）は帯体３１の他端に取り付けられている。一方の面ファスナ３２ａと係合する他方の面ファスナ３２ｂ（ループ又はフックの他方）は後身頃２２の内側に取り付けられている。
【００１７】
図２（ａ）及び（ｂ）に示すように、フルハーネスＦを上着本体２に取り付ける際には、まず後身頃２２の内側にフルハーネスＦを配置する。次に、フルハーネスＦのベルトの上から帯体３１を被せ、帯体３１と後身頃２２とによってベルトを挟み込み、一方の面ファスナ３２ａと他方の面ファスナ３２ｂとを係合させる。これにより、図２（ｃ）に示すように、フルハーネスＦは上着本体２の内側に着脱可能に保持される。
【００１８】
以下では、フルハーネス保持手段３を備えた上着１の作用効果について説明する。上着１は上着本体２の内側にフルハーネス保持手段３を備えているため、フルハーネス保持手段３によってフルハーネスＦを上着本体２の内側に取り付けることができる。これにより、上着１を着脱する際に、フルハーネスＦも上着１と一緒に着脱することができるようになる。
【００１９】
フルハーネス保持手段３がフルハーネスＦを上着本体２に着脱可能に保持できるよう構成されていることにより、フルハーネスＦと上着１とを必要に応じて分離することができる。これにより、上着１を着用しない場合には上着１からフルハーネスＦを取り外して、フルハーネスＦのみを使用することができる。また、フルハーネスＦを使用しない場合には、フルハーネスＦを取り外して、上着１のみを使用することができる。
【００２０】
＜変形例＞
上着１の変形例について説明する。上記で既に説明した構成要素については同一の符号を付しその説明を省略する。以下で説明する変形例は適宜組み合わせ可能である。
【００２１】
［変形例１］
フルハーネス保持手段３の位置や数は上記実施形態に限定されず、フルハーネスＦの大きさや形状などに応じて適宜決定される。複数のフルハーネス保持手段３の一部を前身頃２１、例えば前身頃２１の左肩及び右肩に設けることも可能である。
【００２２】
［変形例２］
面ファスナ３２ａ、３２ｂの少なくとも一方は、長手状であってもよい。これにより、一方の面ファスナ３２ａと他方の面ファスナ３２ｂとの係合位置を調節することができる。
【００２３】
［変形例３］
フルハーネス保持手段３は帯体３１を備えていなくてもよい。この場合、一方の面ファスナ３２ａはフルハーネスＦに取り付けられる。面ファスナ３２ａ、３２ｂの少なくとも一方を長手状にすることにより、フルハーネスＦの取付位置を調節することができる。
【００２４】
［変形例４］
固定手段は、フルハーネスＦを上着本体２に着脱可能に保持することができれば特に限定されず、例えばスナップボタン等のボタン類を使用することもできる。
【００２５】
［変形例５］
フルハーネスＦは上着本体２に着脱不能に保持されていてもよい。フルハーネス保持手段３として糸を用い、フルハーネスＦと上着本体２とを縫合するようにしてもよい。あるいは、フルハーネス保持手段３として接着剤を用い、フルハーネスＦを上着本体２に接着するようにしてもよい。
【００２６】
［変形例６］
フルハーネス保持手段３を上着本体２の外側に設け、フルハーネスＦを上着本体２の外側に保持することができるようにしてもよい。このような上着はフルハーネスＦの下に着用することを意図している。この場合、ランヤードを取り出すための開口部２５は必要ない。
【００２７】
［変形例７］
図３は変形例７に係る上着１の内側の概略図である。図３に示すように、上着１は送風装置４を備えていてもよい。送風装置４は上着本体２内に空気などの気体を取り込むための装置である。送風装置４は、モータなどの駆動手段を備えたファン４１と、電源４２と、ファン４１と電源４２とを電気的に接続するケーブル４３と、ケーブル保持手段４４とを備える。上着本体２は例えば難通気性又は非通気性のポリエステル材料などから作製することができる。ファン４１は、後身頃２２の左腰及び右腰にそれぞれ一つずつ取り付けられている。前身頃２１の右側の内側下部にはポケット２６が形成されている。電源４２は携帯型電源、好ましくは充電式携帯型電源であり、ポケット２６内に入れられている。ケーブル保持手段４４は、後身頃２２の内側の、ファン４１よりも中央寄りの位置にそれぞれ一つずつ取り付けられている。ケーブル４３はケーブル保持手段４４により後身頃２２に保持されている。
【符号の説明】
【００２８】
１        上着（衣服）
２        上着本体（衣服本体）
３        フルハーネス保持手段
３１      帯体
３２      面ファスナ（固定手段）
Ｆ        フルハーネス
【図１】
2019127656.tif 000003
【図２】
2019127656.tif 000004
【図３】
2019127656.tif 000005